(57)【要約】【課題】冊子を構成する多数枚の本紙のうちから一部の本紙を抜き取り、再度綴じ合わせた場合に、その痕跡が残り、このため、不正な前記抜き取りが困難な冊子を提供すること。【解決手段】多数枚の本紙１１〜１４を重ね、さらにその表裏に表紙３，３’を重ね、その全体を一端ａで綴じ合わせて冊子１００を構成する。そして、これら本紙１１〜１４及び表紙３，３’に孔５０，５１，５２，５３，５４，５０’を設け、しかも、これら孔を紙葉ごとに形状、向き、位置等が異なるように配置する。【選択図】図２
2018069648.tif 000002
【特許請求の範囲】
【請求項１】
多数枚の紙葉を重ね、その一端を綴じて構成された冊子において、
多数枚の前記紙葉のそれぞれに、これら紙葉を互いに区別できるように孔が設けられていることを特徴とする冊子。
【請求項２】
複数の紙葉について孔が同一形状で、その向きが紙葉毎に異なることを特徴とする請求項１に記載の冊子。
【請求項３】
孔の向きが昇順又は逆順に等ピッチで回転していることを特徴とする請求項２に記載の冊子。
【請求項４】
孔の位置が紙葉毎に異なることを特徴とする請求項１〜３のいずれかに記載の冊子。
【請求項５】
孔の位置が昇順又は逆順に変化していることを特徴とする請求項４に記載の冊子。
【請求項６】
孔の位置が等ピッチで変化していることを特徴とする請求項５に記載の冊子。
【請求項７】
前記孔を通して冊子の反対側が透視できるように孔が配置されていることを特徴とする請求項４〜６のいずれかに記載の冊子。
【請求項８】
紙葉毎に孔の形状が異なることを特徴とする請求項１〜７のいずれかに記載の冊子。
【発明の詳細な説明】
【技術分野】
【０００１】
本発明は多数枚の紙葉を重ね、その一端を綴じて構成された冊子に関する。例えば、紙葉として商品券や小切手等の有価証券を使用し、これらを綴じ合わせた冊子である。
【背景技術】
【０００２】
このように多数枚の紙葉を綴じ合わせた冊子は一般に図３に示すような構造を有している（特許文献１参照）。すなわち、この冊子は多数枚の本紙１と表表紙３及び裏表紙３’を前記紙葉として綴じ合わせたもので、これら多数枚の本紙１を位置合わせして重ね合わせ、かつ、その表裏に表紙３，３’を重ね、一端ａを接着剤又はホチキス等で固定する。そして、この接着剤又はホチキス等の上に背表紙４を接着して前記冊子１００を構成している。なお、図中、２は各本紙１ごとに切断するためのミシン目を示している。
【０００３】
ところで、前記接着剤としては、一般に、水性接着剤（例えば、麩糊）又は感熱接着剤（例えば、ポリ酢酸ビニル樹脂）が用いられている。しかしながら、これら水性接着剤又は感熱接着剤は剥離することが可能である。例えば、接着剤として水性接着剤を使用した冊子は、この水性接着剤を水性溶剤で溶解することにより、多数枚の前記本紙１を互いに剥離することができる。また、接着剤として感熱接着剤を使用した冊子は、この感熱接着剤を加熱して軟化又は溶融することにより、多数枚の前記本紙１を互いに分離することができる。
【０００４】
また、ホチキスで綴じた場合にも、このホチキスをはずすことにより多数枚の前記本紙１を互いに分離することができる。
【０００５】
このため、この冊子１００は、これを構成する多数枚の前記本紙１を互いに分離して、そのうちの１枚又はそれ以上を不正に取得した後、残余の本紙１を再度綴じ合わせることができ、このように不正に本紙１を抜き取った場合であっても、その痕跡が残らないという問題を抱えていた。
【先行技術文献】
【特許文献】
【０００６】
【特許文献１】特開２００１−１２１８４２号公報
【発明の概要】
【発明が解決しようとする課題】
【０００７】
そこで、本発明は、冊子を構成する多数枚の本紙のうちから一部の本紙を抜き取り、再度綴じ合わせた場合に、その痕跡が残り、このため、不正な前記抜き取りが困難な冊子を提供することを目的とする。
【課題を解決するための手段】
【０００８】
すなわち、請求項１に記載の発明は、多数枚の紙葉を重ね、その一端を綴じて構成された冊子において、
多数枚の前記紙葉のそれぞれに、これら紙葉を互いに区別できるように孔が設けられていることを特徴とする冊子である。
【０００９】
次に、請求項２に記載の発明は、複数の紙葉について孔が同一形状で、その向きが紙葉毎に異なることを特徴とする請求項１に記載の冊子である。
【００１０】
次に、請求項３に記載の発明は、孔の向きが昇順又は逆順に等ピッチで回転していることを特徴とする請求項２に記載の冊子である。
【００１１】
次に、請求項４に記載の発明は、孔の位置が紙葉毎に異なることを特徴とする請求項１〜３のいずれかに記載の冊子である。
【００１２】
次に、請求項５に記載の発明は、孔の位置が昇順又は逆順に変化していることを特徴とする請求項４に記載の冊子である。
【００１３】
次に、請求項６に記載の発明は、孔の位置が等ピッチで変化していることを特徴とする請求項５に記載の冊子である。
【００１４】
次に、請求項７に記載の発明は、前記孔を通して冊子の反対側が透視できるように孔が配置されていることを特徴とする請求項４〜６のいずれかに記載の冊子である。
【００１５】
次に、請求項８に記載の発明は、紙葉毎に孔の形状が異なることを特徴とする請求項１〜７のいずれかに記載の冊子である。
【発明の効果】
【００１６】
本発明の冊子は、これを構成する多数枚の紙葉のそれぞれに、これら紙葉を互いに区別できるように孔が設けられているから、これら多数枚の紙葉から一部の本紙を抜き取った場合には、たとえ残余の紙葉をもとのように綴じ合わせた場合であっても、本紙が抜き取られたことを一目で認識できる。このため、不正な前記抜き取りが困難となる。
【図面の簡単な説明】
【００１７】
【図１】図１は本発明の冊子の具体例に係り、図１（ａ）は表紙を開いた状態の斜視図、図１（ｂ）は冊子の断面説明図である。
【図２】図２は、この冊子を構成する紙葉に設けられた孔と、各紙葉に設けられた孔同士の関係を説明するための分解斜視図である。
【図３】図３は従来の冊子の具体例に係り、図３（ａ）はその斜視図、図３（ｂ）は表紙を開いた状態の斜視図である。
【発明を実施するための形態】
【００１８】
以下、図面を参照して本発明を説明する。図面の図１は本発明の冊子の具体例に係り、図１（ａ）は表紙を開いた状態の斜視図、図１（ｂ）は冊子の断面説明図である。また、図２は、この冊子を構成する本紙に設けられた孔と、各本紙に設けられた孔同士の関係を説明するための分解斜視図である。
【００１９】
この冊子１００は、冊子を構成する多数枚の本紙１を重ね、さらにその表裏に表紙３，３’を重ねて、その全体を一端ａで綴じ合わせて構成されたものである。なお、この例では、多数枚のこれら本紙１は、それぞれが商品券を構成しており、これら各商品券を各別に冊子１００から切り離して使用できるように切り取り線２が施されている。切り取り線２は例えばミシン目である。
【００２０】
綴じ代ａには接着剤又はホチキス等によって各本紙１と表表紙３及び裏表紙３’を一体に綴じている。そして、この接着剤又はホチキス等の上には背表紙４を接着して、これら接着剤又はホチキス等が冊子１００表面に露出しないように構成されている。
【００２１】
ところで、この冊子１００を構成する本紙１と表表紙３及び裏表紙３’には孔５が設けられている。孔５は多数枚の前記本紙１と表表紙３及び裏表紙３’のそれぞれに設けられ
ており、しかも、これら各紙葉のそれぞれを区別できるように設けられている。なお、これら孔５は、冊子１００を一定の方向から見たとき、これら孔５の全てを通して冊子１００の反対側を透視できるように設けることが望ましい。
【００２２】
このように各紙葉のそれぞれを区別できるように、しかも、孔５の全てを通して冊子１００の反対側を透視できるように、これら孔５を設ける方法にはさまざまな方法があるが、この例では、孔５の形状はすべての紙葉を通じて同一であり、その位置と向きが紙葉５ごとに異なるように設けられており、しかも、紙葉の順序にしたがって昇順又は逆順に孔５の位置と向きとが異なるように設けられている。したがって、これら位置や向きによって各紙葉を相互に区別することができる。
【００２３】
孔５の位置と形状とを図２を参照して説明する。図２は紙葉として表表紙３、４枚の本紙１１〜１４、裏表紙３‘の６枚を例示しており、これら６枚の紙葉３，１１〜１４，３‘は、この順に表表紙３側から重ねられたものである。
【００２４】
この図に示すように、これら６枚の紙葉３，１１〜１４，３‘には、それぞれ、孔５０，５１〜５４，５０’が施されている。これら孔５０，５１〜５４，５０’は、いずれも、星型の一部が欠損した形状を有している。一方、この欠損部位の向きが、それぞれの孔５０，５１〜５４，５０’で異なっている。すなわち、表表紙３に施された孔５０では図示上方向（時計の１２時方向）に欠損部位を有しているが、本紙１１に施された孔５１は、これから１５度傾いた方向（時計の１時方向）に欠損部位を有している。また、本紙１２に施された孔５２は、さらに１５度傾いた方向（時計の２時方向）に欠損部位を有している。このように、この例では、表紙４から昇順に、１５度ずつ等ピッチで回転した孔５が施されている。そして、これら６枚の紙葉３，１１〜１４，３‘のうち一部の本紙を抜き取った場合には、その前後の紙葉３，１１〜１４，３‘の孔５を構成する欠損部位の角度の相違が１５度ではなくなるため、本紙１が抜き取られたという事実を容易に検知できる。
【００２５】
また、これら孔５０，５１〜５４，５０’の位置は、表表紙３から昇順に、等ピッチで図示左側に移動している。しかも、そのピッチはわずかで、隣接する孔同士がその一部で重なり合って、一定の斜め方向から冊子１００の本紙をみたとき、これら孔５０，５１〜５４，５０’を通して冊子の反対側が透視できるように配置されている。
【００２６】
このように孔５０，５１〜５４，５０’は等ピッチで配置されているため、これら６枚の紙葉３，１１〜１４，３‘のうち一部の本紙を抜き取った場合には、その前後の紙葉３，１１〜１４，３‘に設けられた孔５のピッチが急激に変化する。そして、このため、前後の本紙１における孔５の位置によっても、本紙１が抜き取られたという事実を容易に検知できる。
【００２７】
また、これら孔５０，５１〜５４，５０’は、これら孔５０，５１〜５４，５０’を通して冊子の反対側が透視できるように配置されており、一部の本紙を抜き取った場合には、抜き取られた本紙１の前後の紙葉に設けられた孔５のピッチがずれて透視できないようになるため、これら孔５０，５１〜５４，５０’の全体を通して冊子の反対側が透視できるか否かを検査することによっても本紙１が抜き取られたか否かという事実を判定できる。
【００２８】
以上、孔５として、その位置と向きとがいずれも紙葉ごとに異なる冊子を例として説明したが、そのいずれかが紙葉ごとに異なる冊子であっても、本発明の効果を奏することは明らかである。例えば、孔５の形状とまた、孔５の形状と位置とが同一で、向きのみが紙葉ごとに異なる冊子である。向きとが同一で、位置のみが紙葉ごとに異なる冊子である。
【００２９】
あるいは、孔５の形状が紙葉ごとに異なる冊子であっても、本発明の効果を奏することは明らかである。また、孔の位置、形状及び向きがいずれも同一であるが、孔５の数や孔５の大きさが紙葉ごとに異なる冊子であってもよいことも明らかである。
【００３０】
このような孔５は、例えば、機械的にパンチすることによって設けることができる。また、レーザー光を照射することによって設けることも可能である。また、孔５の形状も任意である。
【００３１】
また、この孔５は、各紙１を綴じる前に設けることが望ましいが、綴じた後に設けることも可能である。このように綴じた後に設ける場合には、綴じられた冊子に対して斜め方向から穿孔すればよい。そして、この場合には、孔５の形状、向き、大きさ、数はすべての紙葉について共通であるが、その位置が等ピッチで変化しており、かつ、これら孔５を通して冊子の反対側を透視できる冊子を得ることができる。
【符号の説明】
【００３２】
１００：冊子
１，１１，１２，１３，１４：本紙
２：切り取り線
３：表表紙
３：裏表紙
４：背表紙
５,５０,５０’，５１，５２，５３，５４：孔
ａ：綴代
【図１】
2018069648.tif 000003
【図２】
2018069648.tif 000004
【図３】
2018069648.tif 000005